(57)【特許請求の範囲】
【請求項１】
内部に送水路（１ａ）が形成された内管（１０）と、内部に返水路（１ｂ）が形成された外管（１１）とを有する二重管部材（１）と、
内部に吐水路（４ａ）と吸水路（４ｂ）が形成され、吐水路（４ａ）を前記送水路（１ａ）に連通して浴槽（２）への給水路（Ａ）を形成すると共に、吸水路（４ｂ）を前記返水路（１ｂ）に連通して浴槽（２）からの回収水路（Ｂ）を形成する状態で前記二重管部材（１）に固定された循環口カバー（４）と、
前記吸水路（４ｂ）から浴槽（２）の底面近傍まで延長された吸水ホース（６０）と、
前記吸水路（４ｂ）に着脱可能に設けられたストレーナ（６４）と、
内部に形成した受水部（５２）を前記給水路（Ａ）に連通させる状態で循環口カバー（４）に回転自在に取り付けられ、前記受水部（５２）から浴槽（２）内に向けて噴水穴（５６），（５８）が形成されたノズル部材（５）とを備え、
前記吐水路（４ａ）に対向して水受け板（４４ａ）が設けられていることを特徴とした浴槽洗浄機能付き循環口金。
【請求項２】
吸水ホースの下端に浴槽の底面との間に吸水間隙を保持させるための段差が突設されている請求項１記載の浴槽洗浄機能付き循環口金。
【発明の詳細な説明】
【０００１】
【発明の属する技術分野】
本発明は、浴槽を自動的に洗浄する機能を持った浴槽洗浄機能付き循環口金に関する。
【０００２】
【従来の技術】
本出願人において、本願の先行技術として特願平１０−５６０２７号（特開平１１−２３７１１９号）にて浴槽洗浄方法を既に提案している。
この先行の浴槽洗浄方法では、浴槽への給水路と浴槽からの回収水路の２系統水路を有する循環口金が浴槽壁に設けられ、この循環口金の上方に洗浄用噴水口金が設けられたものとなっていた。
【０００３】
従って、浴槽の洗浄に際しては、洗浄用噴水口金から洗浄水を噴出し、その噴出した洗浄水を循環口金の回収水路で回収するという循環を繰り返すものであった。尚、浴槽のすすぎに際しても、洗浄用噴水口金と循環口金の回収水路を用いることは同様である。又、浴槽への湯張りに際しては、循環口金の給水路を用い、追い焚き時には循環口金の給水路と回収水路を用いてお湯を循環させていた。
このように、従来では、浴槽の洗浄についていえば、洗浄用噴水口金と循環口金具という２個の口金が必要であった。
【０００４】
又、従来、浴槽洗浄装置として、実用新案登録第２５８３９０２号に記載された考案が知られている。この従来技術は、洗浄水の回収を浴槽の排水管に接続した戻り管によって行なうようにしていた。
【０００５】
【発明が解決しようとする課題】
しかしながら、先行の浴槽洗浄方法では、上記したように浴槽の洗浄に際し、洗浄用噴水口金と循環口金具という２個の口金が必要であったため、洗浄用としての専用部材を洗浄用噴水口金と循環口金具にそれぞれ組み込む必要がある。
これでは洗浄用噴水口金と循環口金具の両者共に特殊な構造になるため、それだけ成型時の金型の種類が増大し、成型時の手間やコスト面で不利になるという問題を残していた。
【０００６】
又、従来の浴槽洗浄装置では、洗浄水の回収を浴槽の排水管に接続した戻り管によって行なうため、戻り管を浴槽の下方で排水管に配管したり、排水管に排水弁を設けるといった構造が必要になる。
このため、戻り管の配管施工を浴槽の底裏で排水管に対して行なわなければならず、作業に手間がかかるし、既設の浴槽に対しては浴槽を取り外す必要も生じるなど、配管構造及び配管施工の面で不利が多いという問題があった。
【０００７】
本発明は、上述のような問題点を解決するためになされたもので、洗浄水の噴出用となる浴槽への給水路と洗浄水の回収用となる回収水路の２系統水路を有する循環口金を形成して、洗浄用としての専用部材を１つの口金に集約して組み込むことにより、成型時の金型の種類を削減し、成型時の手間やコスト面での不利を改善できるようにする。
さらに、洗浄水の回収を浴槽に取り付けた循環口金を通して行なうことで、配管構造及び配管施工が簡単になるようにした浴槽洗浄機能付き循環口金を提供することを課題としている。
【０００８】
【課題を解決するための手段】
上記課題を解決するために、本発明の浴槽洗浄機能付き循環口金は、
内部に送水路（１ａ）が形成された内管（１０）と、内部に返水路（１ｂ）が形成された外管（１１）とを有する二重管部材（１）と、
内部に吐水路（４ａ）と吸水路（４ｂ）が形成され、吐水路（４ａ）を前記送水路（１ａ）に連通して浴槽（２）への給水路（Ａ）を形成すると共に、吸水路（４ｂ）を前記返水路（１ｂ）に連通して浴槽（２）からの回収水路（Ｂ）を形成する状態で前記二重管部材（１）に固定された循環口カバー（４）と、
前記吸水路（４ｂ）から浴槽（２）の底面近傍まで延長された吸水ホース（６０）と、
前記吸水路（４ｂ）に着脱可能に設けられたストレーナ（６４）と、
内部に形成した受水部（５２）を前記給水路（Ａ）に連通させる状態で循環口カバー（４）に回転自在に取り付けられ、前記受水部（５２）から浴槽（２）内に向けて噴水穴（５６），（５８）が形成されたノズル部材（５）とを備え、
前記吐水路（４ａ）に対向して水受け板（４４ａ）が設けられている構成とした。
【０００９】
本発明の浴槽洗浄機能付き循環口金では、浴槽の洗浄に際し、洗浄水は給水路からノズル部材の噴水穴を通して浴槽内に噴出され、又、浴槽内の洗浄水は吸水ホースから回収水路を通して回収される。このように、１つの口金によって洗浄水の噴水と回収ができるものである。
そして、この洗浄水の回収に関し、本発明では吸水ホースを設けているため、浴槽の底部に溜る洗浄水を吸水ホースによって吸水路まで吸い上げることができる。これにより、洗浄水を口金を通して回収することができる。
従って、浴槽の排水管に戻り管を接続して洗浄水を回収するといった従来技術に比べ、戻り管を浴槽の下方で排水管に配管したり、排水管に排水弁を設けるといった構造が不要になる分、給湯装置の配管構造及び配管施工が簡単になる。
【００１０】
又、洗浄水の回収時において、洗浄水に含まれるゴミ等をストレーナによって除去することができる。このストレーナは着脱可能であるため、ストレーナに付着したゴミ等はこれを吸水路から取り外して除去することができる。
【００１１】
尚、浴槽への湯張り時や追い焚き時の給水用として、例えば、本発明の循環口金の上方に給水専用の出湯口金を設けながら、追い焚き時の回収については本発明の循環口金に設けた回収水路を用いるようにしてもよい。この場合、本発明の循環口金に設けた給水路は洗浄水の噴出専用となり、回収水路は洗浄水の回収用及び追い焚き時の回収用となる。
又、湯張り時や追い焚き時の給水及び回収の全てを本発明の循環口金に設けた給水路と回収水路を用いて行なうことも可能である。この場合には、本発明の循環口金のみを浴槽に取り付ければ足りる。
【００１２】
又、本発明では、吸水ホースの下端に浴槽の底面との間に吸水間隙を保持させるための段差が突設されている態様（請求項２）がある。
このように、吸水ホースの下端に段差を設けると、吸水ホースの下端が浴槽の底面に吸い付くことによる吸い上げ不良を防止できるし、循環口金の取り付け位置を厳密に寸法出しすることなく、吸水ホースの下端と浴槽の底面との間に吸水間隙を確実に保持させることができる。
【００１３】
【発明の実施の形態】
以下、本発明の実施の形態を図面により説明する。図１は本発明の実施の形態である浴槽洗浄機能付き循環口金Ｎを示す断面図である。図２はこの循環口金Ｎを示す切欠正面図である。
【００１４】
図において、１は二重管部材で、内部に送水路１ａが形成された内管１０と、内部に返水路１ｂが形成された外管１１とを有している。
前記内管１０の外側端部に延長部１２が形成されると共に、内側端部に嵌合受け部１３が形成されている。
又、前記外管１１の外側端部にネジ部１４が形成されると共に、内側端部には環状突部を有するフランジ１６が形成されている。
そして、この二重管部材１は、外管１１を浴槽壁２０に形成した取り付け穴２１に浴槽２内から嵌合すると共に、接続金具３との間で浴槽壁２０を挾み込むことにより、この浴槽壁２０に取り付けられている。
【００１５】
前記接続金具３は、二重管部材１の外管１１に形成したネジ部１４に螺合する接続外管３０と、前記内管１０の延長部１２に嵌合する接続内管３１とで二重管構造に形成されている。
前記接続外管３０の内部には二重管部材１の返水路１ｂに連通する外側水路３ｂが形成され、接続内管３１の内部には二重管部材１の送水路１ａに連通する内側水路３ａが形成されている。
【００１６】
前記二重管部材１には、循環口カバー４が固定されている。この循環口カバー４は、外側端部に形成した突出筒部４０を二重管部材１の嵌合受け部１３に嵌合すると共に環状凸部１５に環状溝部４１を嵌合する本体カバー部４２と、この本体カバー部４２にネジ部４３で螺合する筒状部４４で形成されている。
この場合、突出筒部４０から筒状部４４にかけての内部に吐水路４ａが形成され、この吐水路４ａと前記送水路１ａが連通して浴槽２への給水路Ａが形成されている。
又、本体カバー部４２には下方延長部４５が形成され、この下方延長部４５の内部に吸水路４ｂが形成され、この吸水路４ｂと前記返水路１ｂが連通して浴槽２からの回収水路Ｂが形成されている。
尚、前記筒状部４４には、吐水路４ａに対向して水受け板４４ａが設けられ、この水受け板４４ａによって吐水路４ａから吐水された水がノズルカバー５１に直接に当たらないように水の向きを放射方向に変えるようにしている。
【００１７】
又、前記下方延長部４５の片側面には、ホース接続穴４６が形成され、このホース接続穴４６を介して下方延長部４５内の吸水路４ｂに連通する吸水ホース６０が浴槽２の底部近傍まで延長するように接続されている。
そして、この吸水ホース６０の下端に嵌合した吸水口部材６１の底面に段差６２が突設され、この段差６２によって浴槽底面２０ａとの間に吸水間隙６３が保持できるようになっている。
【００１８】
又、前記下方延長部４５の他側面には、図２及び図３で示すように、内部がストレーナ組付穴４７に形成された筒部４８が突設され、前記ストレーナ組付穴４７を通して筒状のストレーナ６４が下方延長部４５内の吸水路４ｂに着脱可能に取り付けられるようになっている。
尚、ストレーナ組付穴４７は前記ホース接続穴４６と同軸状に形成され、ストレーナ６４の取り付け状態でストレーナ６４の先端が前記ホース接続穴４６を覆う状態になる。
前記筒部４８の外周にはキャップ４９が着脱可能に取り付けられるもので、このキャップ４９の内部奥端には枠材を筒状に枠組みした筒状枠６４ａの基端が嵌め込まれ、この筒状枠６４ａの先端から内部にストレーナ６４が着脱可能に収容、又は筒状枠６４ａとストレーナ６４を一体に成型するようになっている。
筒部４８とキャップ４９とは、その嵌合状態で気密になるようにシールされている。この場合のシール構造は、図４（図２Ｙ−Ｙ断面図）で示すように、筒部４８の先端とキャップ４９の内周との間にＯリング４９ａが設けられ、又、筒部４８の外周面に係止突起４８ａが形成されると共に、他方のキャップ４９の口縁にも係止突起４９ｂが設けられている。
そして、キャップ４９に設けたキャップレバー４９ｃが図４の実線位置にある状態でキャップ４９を筒部４８に嵌合し、この状態でキャップレバー４９ｃが図４の仮想線位置になるようにキャップ４９を回動させることにより両係止突起４８ａ，４９ｂが係合し、筒部４８とキャップ４９とがＯリング４９ａを介して気密に嵌合するものである。
【００１９】
又、前記循環口カバー４には、ノズル部材５が回転自在に取り付けられている。このノズル部材５は、本体ノズル５０とノズルカバー５１で形成されると共に、内部に前記吐水路４ａに連通する受水部５２が形成されている。
前記本体ノズル５０には、前記筒状部４４の外周に回転自在に嵌合する支持筒部５３と、この支持筒部５３から外周方向に拡大した大径部５４が形成され、そして、この大径部５４にノズルカバー５１をネジ部５５で着脱可能に螺合することにより、受水部５２が形成される。又、前記大径部５４には接線方向に開口した２個の噴水穴５６，５６が反対向きに形成されている。
又、ノズルカバー５１は、図５で示すように、内面中央部に谷状部５１ａが形成されると共に、外面両側に指掛け凹部５１ｂ，５１ｂが形成されることによって全体が薄肉に形成され、そして、谷状部５１ａと指掛け凹部５１ｂとの境に形成される厚肉部５１ｃ，５１ｃに４個づつ合計８個の噴水穴５８，５８が全て異なる角度で斜め方向に開口するように形成されている。
尚、ノズル部材５を本体ノズル５０にノズルカバー５１を着脱可能に螺合して形成すると、ノズルカバー５１を取り外せばノズル部材５の内部を清掃することができ、メンテナンスの面で好ましい。
【００２０】
尚、図中４２ａはチェーン係止部材で、本体カバー部４２の片側面に突設されている。このチェーン係止部材４２ａは、浴槽排水栓を繋ぐためのボールチェーン２２がノズル部材５を避けて通るように係止するもので、これにより、ボールチェーン２２がノズル部材５の回転に巻き込まれて、ノズル部材５の回転を阻害したり、騒音が発生するといったトラブルを防止できる。
このチェーン係止部材４２ａは、ボールチェーン２２がノズル部材５を避けて通るように係止できれば、この数や形状、それに配設位置（例えばキャップ４９の外面等）は適宜に決定することができる。
【００２１】
次に、図６は前記循環口金Ｎを用いた第１給湯装置７を示す説明図である。この第１給湯装置７では、循環口金Ｎの上方に追い焚き専用の循環口金Ｍが設けられている。
【００２２】
この第１給湯装置７には、自吸式循環ポンプ７０の吸い込み側に接続した戻り管７１と、吐出側に接続した行き管７２と、この行き管７２の途中に設けた浴水加熱器７３及び４方切替弁７４と、この４方切替弁７４に接続した追い焚き管７５及び排水管７６が設けられている。
そして、前記戻り管７１の基端が循環口金Ｎの外側水路３ｂに接続され、行き管７２の先端が循環口金Ｎの内側水路３ａに接続され、又、追い焚き管７５の先端が循環口金Ｍに接続され、排水管７６の先端は開放されている。
又、前記行き管７２の途中には、給湯用加熱器８０からの注水管８１が接続され、この注水管８１から分岐して蛇口８２への送水管８３が設けられている。尚、前記注水管８１の途中には、湯張り電磁弁８４及び逆止弁８５が設けられている。
又、図中７８，７９，８６はそれぞれ湯温センサで、管内の湯温を検出し、設定温度以下の場合には、制御装置（図示せず）を介して加熱器７３，８０により湯温を設定温度まで上昇させるものである。
【００２３】
この第１給湯装置７では浴槽２の洗浄に際し、４方切替弁７４を（イ）の状態に切り替えておく。そして、自吸式循環ポンプ７０によって、予め浴槽２内で洗剤を混ぜた洗浄水を循環口金Ｎの吸水ホース６０から回収水路Ｂを経て戻り管７１、行き管７２を通り、再び循環口金Ｎの給水路Ａに流入させて、ノズル部材５の噴水穴５６，５８から浴槽２内に噴出させるという循環を行なう。
この際、ノズル部材５は噴水穴５６からの噴射に伴う反力で回転し、この噴水穴５６及び噴水穴５８から洗浄水を旋回させながら噴出させることになる。尚、洗浄後のすすぎに際しては、４方切替弁７４を（ロ）の状態に切り替えて洗浄水を排水管７６から排出し、その後、４方切替弁７４を（イ）の状態に戻して注水管８１からの水を循環させ、これを数回繰り返すことになる。
【００２４】
次に、浴槽２への湯張りに際しては、４方切替弁７４を（イ）又は（ハ）の状態に切り替えておく。そして、給湯用加熱器８０で加熱したお湯を注水管８１から行き管７２、出湯管７５を通して循環口金Ｍから浴槽２内に出湯させる。
又、追い焚きに際しては、同様に４方切替弁７４を（ハ）の状態に切り替えておき、浴槽２内のお湯を吸水ホース６０から回収水路Ｂを経て戻り管７１、行き管７２、追い焚き管７５を通して循環口金Ｍから浴槽２内に出湯させるという循環を繰り返すものである。
【００２５】
従って、この第１給湯装置７では、循環口金Ｍを設けているため、循環口金Ｎの給水路Ａは噴出専用となり、回収水路Ｂは洗浄水の回収用及び追い焚き時の回収用となる。
【００２６】
次に、図７は前記循環口金Ｎを用いた第２給湯装置９を示す説明図である。この第２給湯装置９では、循環口金Ｎのみを用いている。
【００２７】
この第２給湯装置９には、前記した第１給湯装置７の循環口金Ｍがないことから、追い焚き管７５及び４方切替弁７４が省略され、一方、戻り管７１の途中に排水管７６に接続する３方切替弁７７が設けられている。尚、その他の構成は前記第１給湯装置７と同様であるため、図面の符号を同一にしてその説明を省略する。
【００２８】
この第２給湯装置９では、洗浄、すすぎ、湯張り、追い焚き時の全てを循環口金Ｎの給水路Ａと回収水路Ｂを用いて行なうことになる。この場合、湯張り及び追い焚き時の出湯に際しては、ノズル部材５の回転によってお湯が噴水穴５６，５８から旋回しながら噴出することになる。これを防止するために、自吸式循環ポンプ７０の能力を可変させたり、又、行き管７２と戻り管７１との間にバイパス管を設け、このバイパス管を開閉制御させたり、あるいは行き管７２の途中に絞り弁を設け、この絞り弁で配管抵抗を可変することになる。
【００２９】
以上のように構成され、使用される循環口金Ｎでは、浴槽２の洗浄に際し、洗浄水は給水路Ａからノズル部材５の噴水穴５６，５８を通して浴槽２内に噴出され、又、浴槽２内の洗浄水は回収水路Ｂを通して回収される。このように、１つの口金Ｎによって洗浄水の噴出と回収ができるものである。
【００３０】
そして、この洗浄水の回収に関し、吸水ホース６０を設けているため、浴槽の底部に溜る洗浄水を吸水ホース６０によって吸水路４ｂまで吸い上げることができる。
これにより、洗浄水を循環口金Ｎを通して回収することができ、従来技術と異なり、浴槽の排水管に戻り管を接続して洗浄水を回収するといった構成が不要になるため、戻り管を浴槽の下方で排水管に配管したり、排水管に排水弁を設けるといった施工性の悪い構造を排除することができ、給湯装置の配管構造及び配管施工が簡単になる。
【００３１】
又、洗浄水の回収時において、洗浄水に含まれるゴミ等をストレーナ６４によって除去することができる。このストレーナ６４は着脱可能であるため、ストレーナ６４に付着したゴミ等はこのストレーナ６４を吸水路４ｂから取り外して除去することができる。
又、このストレーナ６４をキャップ４９に設けた筒状枠６４内に収容して吸水路４ｂに組み付けるため、その組み付け作業が簡単になるし、キャップ４９がシール構造によって気密に取り付けられるため、空気の吸い込みによる作動不良を防止することができる。
【００３２】
又、吸水ホース６０の下端に浴槽の底面２０ａとの間に吸水間隙６３を保持させるための段差６２が突設されているため、吸水ホース６０の下端が浴槽の底面２０ａに吸い付くことによる吸い上げ不良を防止できるし、循環口金Ｎの取り付け位置を厳密に寸法出しすることなく、吸水ホース６０の下端と浴槽の底面２０ａとの間に吸水間隙６３を確実に保持させることができる。
【００３３】
以上本発明の実施の形態を図面により説明したが、具体的な構成はこれに限られることはない。例えば、本体ノズルに設けた噴水穴及びノズルカバーに設けた噴水穴の数や位置等は適宜に決定することができる。
【００３４】
【発明の効果】
以上説明してきたように、本発明の浴槽洗浄機能付き循環口金にあっては、上記のように構成したため、浴槽の洗浄に際し、洗浄水の噴出と回収ができるものである。
従って、洗浄用としての専用部材を１つの口金に集約して組み込むことができるため、成型時の金型の種類を削減し、成型時の手間やコスト面での不利を改善できるという効果が得られる。
【００３５】
また、洗浄水の回収に関し、本発明では吸水ホースを設けているため、浴槽の底部に溜る洗浄水を吸水ホースによって吸水路まで吸い上げることができる。
これにより、洗浄水を口金を通して回収することができ、従来の技術と異なり、浴槽の排水管に戻り管を接続して洗浄水を回収するといった構成が不要になるため、戻り管を浴槽の下方で排水管に配管したり、排水管に排水弁を設ける必要がなく、給湯装置の配管構造及び配管施工が簡単になるという効果が得られる。
【００３６】
又、洗浄水の回収時において、洗浄水に含まれるゴミ等をストレーナによって除去することができる。このストレーナは着脱可能であるため、ストレーナに付着したゴミ等はこれを吸水路から取り外して除去することができる。
【００３７】
又、吸水ホースの下端に段差を突設させると（請求項２）、吸水ホースの下端が浴槽の底面に吸い付くことによる吸い上げ不良を防止できるし、循環口金の取り付け位置を厳密に寸法出しすることなく、吸水ホースの下端と浴槽の底面との間に吸水間隙を確実に保持させることができる。
【図面の簡単な説明】
【図１】  本発明の実施の形態である浴槽洗浄機能付き循環口金を示す断面図である。
【図２】  この循環口金を示す切欠正面図である。
【図３】  この循環口金に設けられたストレーナの取り付け構造を示す分解断面図である。
【図４】  このストレーナの取り付け構造におけるキャップの着脱構造を示す断面図であり、図２におけるＹ−Ｙ断面図である。
【図５】  この循環口金に設けられたノズルカバーの断面図である。
【図６】  この循環口金を用いた第１給湯装置を示す説明図である。
【図７】  この循環口金を用いた第２給湯装置を示す説明図である。
【符号の説明】
Ｎ  浴槽洗浄機能付き循環口金
Ａ  給水路
Ｂ  回収水路
１  二重管部材
１ａ  送水路
１ｂ  返水路
１０  内管
１１  外管
２  浴槽
４  循環口カバー
４ａ  吐水路
４ｂ  吸水路
４４ａ  水受け板
５  ノズル部材
５２  受水部
５６  噴水穴
５８  噴水穴
６０  吸水ホース
６４  ストレーナ
【図１】
0004327288.tif 000002
【図２】
0004327288.tif 000003
【図３】
0004327288.tif 000004
【図４】
0004327288.tif 000005
【図５】
0004327288.tif 000006
【図６】
0004327288.tif 000007
【図７】
0004327288.tif 000008